(57)【要約】【課題】軸の一端に塗布体を備えた化粧料塗布具について、軸にしなりを持たせることにより化粧料の塗布を容易にし、化粧料の塗布時の感触も向上させる。【解決手段】化粧料塗布具１Ａが、化粧料を塗布する塗布体１０Ａ、塗布体１０Ａを一端に有する軸２０、軸２０が挿入された外筒４０を有する。軸２０には、その塗布体１０Ａ側表面から突出した板バネ状突起２３が一体成型されており、外筒４０は、少なくとも軸２０の板バネ状突起２３を覆い、軸２０を揺動可能に保持している。【選択図】図１Ａ
2014128508.tif 000002
【特許請求の範囲】
【請求項１】
化粧料を塗布する塗布体、塗布体を一端に有する軸、軸が挿入された外筒を有する化粧料塗布具であって、
軸には、その塗布体側表面から突出した板バネ状突起が一体成型されており、
外筒は、少なくとも軸の板バネ状突起を覆い、軸を揺動可能に保持している化粧料塗布体。
【請求項２】
軸と塗布体が樹脂により一体成型されている請求項１記載の化粧料塗布具。
【請求項３】
軸が塗布体側に細径部を有する請求項１又は２記載の化粧料塗布具。
【請求項４】
細径部から板バネ状突起が突出している請求項３記載の化粧料塗布具。
【請求項５】
軸の細径部の全周から板バネ状突起が斜めに突出している請求項３又は４記載の化粧料塗布具。
【請求項６】
軸の細径部から複数の板バネ状突起が軸の中心軸の周りに放射状に突出している請求項３又は４記載の化粧料塗布具。
【請求項７】
複数の板バネ状突起が、軸の中心軸方向の位置が揃うように配置されている請求項１〜６のいずれかに記載の化粧料塗布具。
【請求項８】
複数の板バネ状突起が、軸の中心軸方向にずれて配置されている請求項１〜６のいずれかに記載の化粧料塗布具。
【請求項９】
板バネ状突起が、外筒の内面と接している請求項１〜８のいずれかに記載の化粧料塗布具。
【請求項１０】
塗布体が、植毛されている請求項１〜９のいずれかに記載の化粧料塗布具。
【請求項１１】
化粧料が充填された化粧料容器に請求項１〜１０のいずれかに記載の化粧料塗布具が備えられている化粧品。
【請求項１２】
化粧料容器が、液状化粧料が充填された容器本体と、容器本体を閉じるキャップを有し、該キャップに化粧料塗布具が、該化粧料塗布具の塗布体が容器本体に挿入可能に備えられている請求項１１記載の化粧品。
【発明の詳細な説明】
【技術分野】
【０００１】
本発明は、化粧料塗布具に関する。
【背景技術】
【０００２】
マスカラ、アイライナー等の化粧料の塗布具として、軸の一端に塗布体を備えたものが使用されている。このような塗布具では、化粧料を塗布し易くするために、塗布体を軸に対して撓ませることが提案されている。例えば、塗布体の一端にボールジョイントを形成し、そのボールジョイントを筒状軸の一端に装着し、筒状軸の内部に設けた弾性体でボールジョイントを圧接し、保持することが提案されている（特許文献１）。
【０００３】
また、一端に塗布体を有する軸を軟材質の素材により中空に成形し、その肉厚を塗布体側で薄くして剛性を少なくすることにより軸を撓ませることが提案されている（特許文献２）。
【先行技術文献】
【特許文献】
【０００４】
【特許文献１】特開平１０−９９１２７号公報
【特許文献２】特開２００５−１８５３６０号公報
【発明の概要】
【発明が解決しようとする課題】
【０００５】
しかしながら、上述のボールジョイントを用いた化粧料塗布具は、化粧料塗布具を構成する部材点数が多くなり、製造コストが高くなる。
また、塗布体を一端に有する軸を中空とし、その軸の肉厚を調整する方法では、化粧料塗布具に意図する撓みやすさを賦与することが難しい。
【０００６】
そこで、本発明が解決しようとする課題は、軸の一端に塗布体を備えた化粧料塗布具について、その軸に所望の撓みやすさを、低コストで賦与することに関する。
【課題を解決するための手段】
【０００７】
上述の課題を解決するため、本発明は、化粧料を塗布する塗布体、塗布体を一端に有する軸、軸が挿入された外筒を有する化粧料塗布具であって、
軸には、その塗布体側表面から突出した板バネ状突起が一体成型されており、
外筒は、少なくとも軸の板バネ状突起を覆い、軸を揺動可能に保持している化粧料塗布具を提供する。
【発明の効果】
【０００８】
本発明の化粧料塗布具によれば、軸を任意の方向に所望の撓みやすさに形成することができるので、化粧料を塗布しやすくなる。また、軸部の撓みやすさにより、塗布時に柔らかな感触を得ることができる。特に、塗布体の形状などに応じて特定の方向に撓みやすくすることも可能である。
【０００９】
さらに、本発明の化粧料塗布具によれば、塗布体の形状や材料に依存せず、軸部に撓みやすさを持たせるので、塗布体自体は剛性の強いものでも塗布時に柔らかな感触を得ることができる。
【図面の簡単な説明】
【００１０】
【図１Ａ】図１Ａは、実施例の化粧料塗布具１Ａの斜視図である。
【図１Ｂ】図１Ｂは、実施例の化粧料塗布具１Ａの底面図である。
【図１Ｃ】図１Ｃは、実施例の化粧料塗布具１Ａのｘ−ｘ断面図である。
【図１Ｄ】図１Ｄは、実施例の化粧料塗布具１Ａのｙ−ｙ断面図である。
【図２】図２は、実施例の化粧料塗布具１Ａの分解図である。
【図３】図３は、実施例の化粧料塗布具１Ｂの断面図である。
【図４】図４は、実施例の化粧料塗布具１Ｃの断面図である。
【図５】図５は、実施例の化粧料塗布具１Ｄの断面図である。
【図６】図６は、実施例の化粧料塗布具１Ｅの断面図である。
【図７Ａ】図７Ａは、実施例の化粧料塗布具１Ｆの断面図である。
【図７Ｂ】図７Ｂは、実施例の化粧料塗布具１Ｆの断面図である。
【図８Ａ】図８Ａは、実施例の化粧料塗布具１Ｇを化粧料容器に収容した状態の断面図である。
【図８Ｂ】図８Ｂは、実施例の化粧料塗布具１Ｇを化粧料容器から引き出す状態の断面図である。
【図９】図９は、実施例の化粧料塗布具１Ｈの断面図である。
【図１０】図１０は、実施例は化粧料塗布具１Ｉの断面図である。
【図１１Ａ】図１１Ａは、実施例の化粧料塗布具１Ｊの断面図である。
【図１１Ｂ】図１１Ｂは、実施例の化粧料塗布具１Ｊの断面図である。
【図１２Ａ】図１２Ａは、実施例の化粧料塗布具１Ｋの断面図である。
【図１２Ｂ】図１２Ｂは、実施例の化粧料塗布具１Ｋの断面図である。
【図１３】図１３は、実施例の化粧料塗布具１Ｌの断面図である。
【図１４】図１４は、実施例の化粧料塗布具１Ｍの断面図である。
【図１５】図１５は、実施例の化粧料塗布具１Ｎの断面図である。
【図１６】図１６は、実施例の化粧料塗布具１Ｏの斜視図である。
【図１７】図１７は、実施例の化粧料塗布具１Ｐの斜視図である。
【図１８】図１８は、実施例の化粧料塗布具１Ｑの斜視図である。
【発明を実施するための形態】
【００１１】
以下、図面に基づいて本発明の実施例を具体的に説明する。なお、各図中、同一符号は同一又は同等の構成要素を表している。
図１Ａは、本発明の一実施例の化粧料塗布具１Ａの斜視図であり、図１Ｂは、それをｚ方向から見た底面図、図１Ｃはそのｘ−ｘ断面図、図１Ｄはそのｙ−ｙ断面図である。また、図２は、化粧料塗布具１Ａの分解図である。
【００１２】
この化粧料塗布具１Ａは、マニキュア、液状口紅、コンシーラー、アイシャドウ等の化粧料の塗布に好適な塗布具であって、化粧料を、爪、唇、肌等の被塗布部に塗布する塗布体１０Ａ、塗布体１０Ａを一端に有する軸２０、軸２０が挿入された外筒４０を有する。ここで、塗布体１０Ａと軸２０は、ポリウレタン系エラストマー等の可撓性を有する樹脂で一体成形されている。
【００１３】
塗布体１０Ａは、平面視しずく型で中央部から先端部側は平板状であるが、軸側端部はフランジ状に肉厚になり、外筒４０の外径Ｌ1と略同程度の径となっており、これにより外筒４０と塗布体１０Ａとの間隙を狭めている。
【００１４】
軸２０は、円柱状の軸本体２１と、軸本体２１の塗布体１０Ａ側に設けられた細径部２２に板バネ状突起２３を有し、これらは一体成形されている。この細径部２２の径は、軸本体側端部２２ａが板バネ状突起２３の形成部位よりも細く形成されている。
【００１５】
板バネ状突起２３はく字形に湾曲した薄板片となっており、その湾曲による凸部が外筒４０の内壁に向き、く字形の薄板片の軸本体側端部が軸の細径部２２と繋がり、それと反対側端部は自由端となって外筒４０と細径部２２との間の間隙に位置している。また、この薄板片からなる板バネ状突起２３の複数個が、軸２０の中心軸Ｐ1の周りに放射状に形成されている。個々の板バネ状突起２３の先端部の包絡線の外径は、軸本体２１の径と略同一となっている。なお、軸２０の周りに形成する板バネ状突起２３の個数は、図には４個を示したが、これに限られない。板バネ状突起２３の板厚を薄くして多数設けることにより、後述する、板バネ状突起２３による塗布体１０Ａの揺動の押し戻しを柔らかな感触にすることができる。
【００１６】
外筒４０は、この化粧料塗布具１Ａにおいて把持部として使用される部分であり、軸２０よりも硬質の樹脂、例えば、ポリエチレンテレフタレート、ポリブチレンテレフタレート、ポリプロピレン等の熱可塑性樹脂等により、円筒形の有底筒状に形成されている。また、外筒４０には軸２０が着脱自在に挿入され保持されることが好ましい。軸２０が保持された状態において、外筒４０は軸本体２１と板バネ状突起２３を覆っている。
【００１７】
したがって、この化粧料塗布具１Ａでは、図１Ｃにおいて細径部２２の軸本体２１近傍が撓むことにより、塗布体１０Ａは任意の方向に撓みやすく、細径部２２は撓むことにより板バネ状突起２３に、撓みと反対方向に付勢され、押し戻される。したがって、例えば、図１Ｃに破線で示すように、塗布体１０Ａを揺動させることが可能となり、その揺動のし易さを板バネ状突起２３の弾性で調整することが可能となる。よって、この化粧料塗布具１Ａによれば、塗布体１０Ａを化粧料の被塗布面で摺動させるときに、塗布体１０Ａの形状や素材に依存せずに、塗布体１０Ａを適度に揺動させることができるので、化粧料が塗布しやすくなり、また、化粧料の塗布時に柔らかな感触を得ることができる。
【００１８】
また、この化粧料塗布具１Ａによれば、塗布体１０Ａの軸側端部がフランジ状になって外筒４０と塗布体１０Ａとの間隙が狭められているので、塗布体１０Ａに付着した化粧料を板バネ状突起２３の形成部位に入り込み難くすることができる。
【００１９】
さらに、この化粧料塗布具１Ａによれば、塗布体１０Ａと軸２０が樹脂で一体成形されているので、簡便に安価に製造することができる。
【００２０】
軸２０は外筒４０に着脱自在に装着できるようにした場合には、軸２０を外筒４０から取り外し、洗浄することも可能となる。
【００２１】
本発明は、種々の態様をとることができる。例えば、図３に示す化粧料塗布具１Ｂのように、板バネ状突起２３をＬ字形に湾曲した薄板片で形成する場合に、その塗布体側端部が細径部２２と繋がるように形成してもよい。これにより、板バネ状突起２３と細径部２２の連結部分に対して、細径部２２の軸本体側端部２２ａの軸径が相対的に細くなるので、同図に破線で示すように、細径部２２が軸本体側端部２２ａで撓みやすくなる。
【００２２】
また、図４に示す化粧料塗布具１Ｃのように、板バネ状突起２３を、細径部２２の全周から斜めに突出させたスカート状としてもよい。これにより、いずれの方向に塗布体１０Ａが揺動しても同じ強さで細径部２２を板バネ状突起２３で押し戻すことができる。
また、同図に示すように、外筒４０を筒状材料で形成し、塗布体１０Ａと反対側の軸２０の上端面が外表面として露出するようにしてもよい。これにより外筒４０から軸２０を外すことが容易になる。
【００２３】
図５に示す化粧料塗布具１Ｄのように、板バネ状突起２３を円弧状に湾曲した薄板片としてもよく、その一端側を厚くして細径部２２と連続させ、反対側の自由端を軸本体２１近傍にまで伸ばしても良い。
【００２４】
図６に示す化粧料塗布具１Ｅのように、板バネ状突起２３に円弧状の湾曲部を形成し、その湾曲部を外筒４０の内面に当接させてもよい。
【００２５】
このように板バネ状突起２３の形状を種々変更することにより、軸２０が撓んで塗布体１０Ａが揺動したときに、それを押し戻す強さを調整することができる。
【００２６】
本発明の化粧料塗布具では、板バネ状突起２３の形成位置によっても、塗布体１０Ａの揺動を押し戻す強さを調整することができる。例えば、複数の板バネ状突起２３を細径部２２の周りに設ける場合に、上述の化粧料塗布具１Ａのように軸２０の中心軸Ｐ1方向の位置を揃えることに代えて、図７Ａ、図７Ｂに示す化粧料塗布具１Ｆのように、板バネ状突起２３ａ、２３ｂの中心軸Ｐ1方向の位置をずらして配置してもよい。即ち、図７Ａ、図７Ｂに示す化粧料塗布具１Ｆは、細径部２２の塗布体１０Ａ側には、塗布体１０Ａの平板状の面に沿った方向に一対の板バネ状突起２３ａを設け、細径部２２の軸本体２１側に、塗布体１０Ａの平板状の面と垂直な方向に一対の板バネ状突起２３ｂを設けたものである。これにより、塗布体１０Ａを、塗布体１０Ａの平板状の面に垂直なＣ方向に対して、塗布体１０Ａの平板状の面に沿うＡ方向の揺動を起こりやすくすることができる。頬等の広い部分に化粧料を塗布する場合、塗布体１０Ａの平板状の面が被塗布面に押し当てられるので、Ａ方向の揺動が起こりやすいことにより、広い面への塗布が容易となる。一方、唇の縁部分や爪の縁部分などの細かい部分に化粧料を塗布する場合には、塗布体１０Ａの幅狭の面が被塗布面に押し当てられ、この場合、Ｃ方向の揺動が抑えられていると細かい塗布作業が容易となる。
【００２７】
このように塗布体１０Ａを特定の方向で揺動しやすくすることにより、化粧料の塗布のし易さを向上させることができる。
【００２８】
塗布体の揺動方向によって、その揺動のし易さを変えることは、塗布体の形状と、当該塗布体を使用する化粧料容器との関係でも有用となる。
【００２９】
図８Ａに示す化粧品６０は、本発明の化粧料塗布具１Ｇを、化粧料を収容する化粧料容器に備えたものである。本発明はかかる化粧品も包含する。
【００３０】
この化粧品６０では、化粧料塗布具１Ｇの塗布体１０Ｂが、液状の化粧料５１が充填された有底筒状の容器本体５０に挿入された状態で、容器本体５０がキャップ５２で着脱自在に閉じられ、そのキャップ５２に外筒４０が装着されている。あるいはこのキャップ５２と外筒４０とを一体に成形してもよい。このように容器本体５０と化粧料塗布具１Ｇ付きキャップ５２を備えた化粧料容器は、マスカラ等の化粧料で一般に使用されており、容器本体５０の口部近傍にはしごき５３が設けられている。ここで、しごき５３は、化粧料塗布具１Ｇを容器本体５０から引き上げたときに、図８Ｂに示すように、余分な化粧料を塗布体１０Ｂからしごき落とす機能を担う。したがって、しごき５３によって余分な化粧料５１を落とすと共に、ポンピングを防止する観点から、、塗布体１０Ｂの最大幅Ｌ2と、外筒４０のしごき５３を通す部分の外径Ｌ1と、しごき５３の穴径は、一般に、Ｌ2＞Ｌ1＞しごき５３の穴径  とされる。
【００３１】
このような化粧料容器において、塗布体１０Ｂが、例えば、図８Ｂに示すように、軸の長手方向に対して非対称に湾曲した形状を有している場合、塗布体１０Ｂが図中に破線で示すようにＣ方向に撓みやすくすることにより、湾曲した塗布面の外側１０Ｂａも内側１０Ｂｂもしごき５３で十分にしごかれ、しごき５３を通して引き抜いた後の塗布体１０Ｂに化粧料５１が偏在することを防止することができる。したがって、異なる塗布面を有することにより異なる塗布感触を得たり塗布方法を行う際に、適度な量の化粧料を各塗布面に保持させることができる。これに対し、塗布体１０Ｂの撓みやすさに方向性が無い場合には、湾曲した塗布面の外側１０Ｂａはしごき５３で強くしごかれるが、内側１０Ｂｂはしごかれにくいため、しごき５３を引き抜いたあとの塗布体１０Ｂに化粧料５１が偏在しやすくなる。
【００３２】
塗布体の揺動の撓みやすさに方向性を持たせる態様としては、図７Ａ、図７Ｂに示したように、板バネ状突起２３ａ、２３ｂの軸方向の形成位置を異ならせる他に、板バネの厚さなどを変えることにより、板バネ状突起２３ａ、２３ｂのバネの強さを異ならせても良い。
【００３３】
また、図９に示す化粧料塗布具１Ｈのように、軸２０に対して対向する板バネ状突起２３ａ、２３ｂの厚さを互いに異ならせることにより、所定の揺動面内の特定の向き（Ｃ1方向）には揺動しにくく、それと反対の向き（Ｃ2方向）には揺動し易いようにすることもできる。
【００３４】
図１０に示す化粧料塗布具１Ｉのように、軸２０に対して対向する板バネ状突起２３ａ、２３ｂの形状を互いに異ならせることにより、所定の揺動面内の特定の向き（Ｃ1方向）には揺動しにくいが、それと反対の向き（Ｃ2方向）には揺動し易いようにすることもできる。
【００３５】
また、図１１Ａ、図１１Ｂに示す化粧料塗布具１Ｊのように、細径部２２の塗布体側に、塗布体１０Ａの平板状の面に沿った方向に一対の板バネ状突起２３を設けると共に、塗布体１０Ａの平板状の面と垂直な方向に、細径部２２に凸条２４を突出させてもよい。これにより、塗布体１０Ａが、その平板状の面に沿うＡ方向には揺動するが、塗布体１０Ａの平板状の面に垂直なＣ方向には揺動しなくなる。
【００３６】
上述の化粧料塗布具１Ｊにおいて細径部２２に凸条２４を突出させることに代えて、図１２Ａ、１２Ｂに示す化粧料塗布具１Ｋのように、塗布体１０Ａの平板状の面と垂直な方向に、外筒４０の内壁に凸条４１を突出させてもよい。
【００３７】
塗布体のＣ方向の揺動を規制するため、細径部２２の断面形状を、塗布体１０Ａの平板状の面と垂直な方向に、長径をもつ楕円としてもよい。
【００３８】
この他、本発明の化粧料塗布具としては、図１３に示す化粧料塗布具１Ｌのように、細径部２２に、板バネ状突起２３として短冊形状の薄板片を細径部２２に軸Ｐ1を中心として放射状に起立させてもよい。この場合、それぞれの薄板片の厚さを変えることにより、塗布体１０Ａの揺動を押し戻す強さや方向性を調整することができる。
【００３９】
また、図１４に示す化粧料塗布具１Ｍのように、細径部２２に、環状の薄板片を軸Ｐ１方向に配列してもよい。
【００４０】
なお、本発明の化粧料塗布具において、軸２０や外筒４０の外形は、円柱状に限らず、楕円柱状、多角柱状等とすることができる。
【００４１】
また、軸２０には、必ずしも異なる径の軸本体２１と細径部２２を形成する必要はなく、塗布体を揺動できるように軸２０が撓みやすく形成されていればよい。例えば、図１５に示す化粧料塗布具１Ｎのように、軸２０において、軸本体２１を細径部２２と同径に形成してもよい。外筒４０と軸２０との固定の点からは、前述の化粧料塗布具１Ａ等のように軸本体２１を細径部２２よりも太径にすることが好ましい。
【００４２】
塗布体は、軸と別パーツで形成してもよい。塗布体自体も種々の態様をとることができ、例えば、図１６に示した化粧料塗布具１Ｏのように、塗布体１０Ｃは植毛されたものとすることができる。塗布体１０Ｃの表面が植毛されていることにより、塗布体１０Ｃに付着した化粧料が外筒４０内に入り込み難くなるので好ましい。
【００４３】
この他、塗布体の形状や材質は、化粧料塗布具で塗布する化粧料の液状、パウダー状、ケーキ状等の性状や、皮膚、睫毛、爪など化粧料の適用部位に応じて適宜選択することができる。例えば、図１７に示す化粧料塗布具１Ｐのように、刷毛状の塗布体１０Ｄとしてもよく、図１８に示す化粧料塗布具１Ｑのようにブラシ状の塗布体１０Ｅとしてもよい。
本発明において、上述した実施例の態様は、種々組み合わせることができる。
【００４４】
上述した実施形態に関し、本発明はさらに以下の化粧料塗布具或いは化粧品を開示する。
【００４５】
＜１＞化粧料を塗布する塗布体、塗布体を一端に有する軸、軸が挿入された外筒を有する化粧料塗布具であって、軸には、その塗布体側表面から突出した板バネ状突起が一体成型されており、外筒は、少なくとも軸の板バネ状突起を覆い、軸を揺動可能に保持している化粧料塗布体。
【００４６】
＜２＞軸と塗布体が樹脂により一体成型されている、＜１＞に記載の化粧料塗布具。
＜３＞軸と塗布体が別パーツで形成してなる、＜１＞に記載の化粧料塗布具。
＜４＞軸が塗布体側に細径部を有する、＜１＞〜＜３＞のいずれかに記載の化粧料塗布具。
＜５＞細径部から板バネ状突起が突出している、＜４＞に記載の化粧料塗布具。
＜６＞軸は軸本体と細径部と板バネ状突起とからなる、＜１＞〜＜５＞のいずれかに記載の化粧料塗布具。
＜７＞細径部の径は、軸側端部が板バネ状突起の形成部位よりも細く形成されている、＜５＞又は＜６＞に記載の化粧料塗布具。
＜８＞軸の細径部の全周から板バネ状突起が斜めに突出している、＜４＞〜＜７＞のいずれかに記載の化粧料塗布具。
＜９＞軸の細径部から複数の板バネ状突起が軸の中心軸の周りに放射状に突出している、＜４＞〜＜８＞のいずれかに記載の化粧料塗布具。
＜１０＞複数の板バネ状突起が、軸の中心軸方向の位置が揃うように配置されている、＜１＞〜＜９＞のいずれかに記載の化粧料塗布具。
＜１１＞複数の板バネ状突起が、軸の中心軸方向にずれて配置されている、＜１＞〜＜９＞のいずれかに記載の化粧料塗布具。
＜１２＞軸に対して対向する板バネ状突起の厚さを、互いに異ならせてなる、＜１＞〜＜１１＞のいずれかに記載の化粧料塗布具。
＜１３＞軸に対して対向する板バネ状突起の形状を、互いに異ならせてなる、＜１＞〜＜１１＞のいずれかに記載の化粧料塗布具。
＜１４＞板バネ状突起が、外筒の内面と接している、＜１＞〜＜１３＞のいずれかに記載の化粧料塗布具。
＜１５＞板バネ状突起に円弧状の湾曲部を形成してなる、＜１＞〜＜１４＞のいずれかに記載の化粧料塗布具。
＜１６＞湾曲部が外筒の内面に当接している、＜１５＞に記載の化粧料塗布具。
＜１７＞板バネ状突起の軸側端部が軸の細径部と繋がってなる、＜１＞〜＜１６＞のいずれかに記載の化粧料塗布具。
＜１８＞板バネ状突起の塗布体側端部が軸の細径部と繋がってなる、＜１＞〜＜１６＞のいずれかに記載の化粧料塗布具。
＜１９＞板バネ状突起の一端側を厚くして軸の細径部と連続させてなる、＜１＞〜＜１８＞のいずれかに記載の化粧料塗布具。
＜２０＞板バネ状突起の反対側の自由端を軸近傍にまで伸ばした、＜１８＞に記載の化粧料塗布具。
＜２１＞板バネ状突起の反対側の自由端を塗布部近傍にまで伸ばした、＜１７＞に記載の化粧料塗布具。
＜２２＞反対側端部は自由端となって外筒と軸の細径部との間の間隙に位置してなる、＜１７＞又は＜１８＞に記載の化粧料塗布具。
＜２３＞板バネ状突起を円弧状に湾曲した薄板片としてなる、＜１＞〜＜２２＞のいずれかに記載の化粧料塗布具。
＜２４＞板バネ状突起をく字形に湾曲した薄板片としてなる、＜１＞〜＜２２＞のいずれかに記載の化粧料塗布具。
＜２５＞板バネ状突起をＬ字形に湾曲した薄板片としてなる、＜１＞〜＜２２＞のいずれかに記載の化粧料塗布具。
＜２６＞個々の板バネ状突起の先端部の包絡線の外径は、軸の軸本体の径と略同一である、＜１＞〜＜２５＞のいずれかに記載の化粧料塗布具。
＜２７＞塗布体が軸の長手方向に対して非対称に湾曲した形状を有している、＜１＞〜＜２６＞のいずれかに記載の化粧料塗布具。
＜２８＞塗布体が平板状の面を有する、＜１＞〜＜２７＞のいずれかに記載の化粧料塗布具。
＜２９＞塗布体の平板状の面に沿った方向に一対の板バネ状突起を設けてなる、＜１＞〜＜６＞及び＜８＞〜＜２８＞のいずれかに記載の化粧料塗布具。
＜３０＞塗布体の平板状の面と垂直な方向に、軸の細径部に凸条を突出してなる、＜１＞〜＜６＞及び＜８＞〜＜２９＞のいずれかに記載の化粧料塗布具。
＜３１＞塗布体の平板状の面と垂直な方向に、外筒の内壁に凸条を突出してなる、＜１＞〜＜６＞及び＜８＞〜＜２９＞のいずれかに記載の化粧料塗布具。
＜３２＞細径部の断面形状を、塗布体の平板状の面と垂直な方向に、長径をもつ楕円としてなる、＜１＞〜＜６＞及び＜８＞〜＜２９＞のいずれかに記載の化粧料塗布具。
＜３３＞軸の細径部の塗布体側には、塗布体の平板状の面に沿った方向に一対の板バネ状突起を設け、細径部の軸本体側に、塗布体の平板状の面と垂直な方向に一対の板バネ状突起を設けてなる、＜１＞〜＜６＞及び＜８＞〜＜２９＞のいずれかに記載の化粧料塗布具。
＜３４＞塗布体が植毛されている、＜１＞〜＜３３＞のいずれかに記載の化粧料塗布具。
＜３５＞塗布体と軸が、可撓性を有する樹脂で成形されている、＜１＞〜＜３４＞のいずれかに記載の化粧料塗布具。
＜３６＞外筒が軸よりも硬質の樹脂で形成されている、＜１＞〜＜３５＞のいずれかに記載の化粧料塗布具。
＜３７＞塗布体の軸側の端部はフランジ状に肉厚になり、外筒の外径と略同程度の厚みである、＜１＞〜＜３６＞のいずれかに記載の化粧料塗布具。
＜３８＞軸の軸本体の外形が円柱状、楕円柱状、角柱状等である、＜１＞〜＜３７＞のいずれかに記載の化粧料塗布具。
＜３９＞外筒の外形が円柱状、楕円柱状、多角柱状等である、＜１＞〜＜３８＞のいずれかに記載の化粧料塗布具。
＜４０＞外筒が軸の軸本体と板バネ状突起を覆っている、＜１＞〜＜３９＞のいずれかに記載の化粧料塗布具。
＜４１＞軸が外筒に着脱自在に挿入され保持される、＜１＞〜＜４０＞のいずれかに記載の化粧料塗布具。
＜４２＞外筒を筒状に形成し、塗布体と反対側の軸の端面が外表面として露出する、＜１＞〜＜４１＞のいずれかに記載の化粧料塗布具。
＜４３＞塗布体が刷毛状である、＜１＞〜＜３３＞及び＜３５＞〜＜４２＞のいずれかに記載の化粧料塗布具。
＜４４＞塗布体がブラシ状である、＜１＞〜＜３３＞及び＜３５＞〜＜４２＞のいずれかに記載の化粧料塗布具。
＜４５＞化粧料が充填された化粧料容器に＜１＞〜＜４４＞のいずれかに記載の化粧料塗布具が備えられている化粧品。
＜４６＞化粧料容器が、液状化粧料が充填された容器本体と、容器本体を閉じるキャップを有し、該キャップに化粧料塗布具が、該化粧料塗布具の塗布体が容器本体に挿入可能に備えられている、＜４５＞記載の化粧品。
＜４７＞容器本体の口部近傍にしごきを備えた、＜４６＞記載の化粧品。
＜４８＞化粧料塗布具の外筒がキャップに取り付けられている、＜４６＞又は＜４７＞に記載の化粧品。
＜４９＞外筒とキャップとが一体成形されてなる、＜４６＞又は＜４７＞に記載の化粧品。
＜５０＞塗布体の最大幅と外筒の外径としごきの穴径との関係が、塗布体の最大幅＞外筒の外径＞しごきの穴径、の関係である、＜４７＞〜＜４９＞のいずれかに記載の化粧品。
【符号の説明】
【００４７】
１Ａ、１Ｂ、１Ｃ、１Ｄ、１Ｅ、１Ｆ、１Ｇ、１Ｈ、１Ｉ、１Ｊ、１Ｋ、１Ｌ、１Ｍ、１Ｎ、１Ｏ、１Ｐ、１Ｑ    化粧料塗布具
１０Ａ、１０Ｂ、１０Ｃ、１０Ｄ、１０Ｅ    塗布体
２０    軸
２１    軸本体
２２    細径部
２２ａ  細径部の軸本体側端部
２３、２３ａ、２３ｂ    板バネ状突起
２４    凸条
４０    外筒
４１    凸条
５０    容器本体
５１    化粧料
５２    キャップ
５３    しごき
Ｌ1     外筒の外径
Ｐ1     軸の中心軸
Ａ、Ｃ、Ｃ1、Ｃ2    撓む方向
【図１Ａ】
2014128508.tif 000003
【図１Ｂ】
2014128508.tif 000004
【図１Ｃ】
2014128508.tif 000005
【図１Ｄ】
2014128508.tif 000006
【図２】
2014128508.tif 000007
【図３】
2014128508.tif 000008
【図４】
2014128508.tif 000009
【図５】
2014128508.tif 000010
【図６】
2014128508.tif 000011
【図７Ａ】
2014128508.tif 000012
【図７Ｂ】
2014128508.tif 000013
【図８Ａ】
2014128508.tif 000014
【図８Ｂ】
2014128508.tif 000015
【図９】
2014128508.tif 000016
【図１０】
2014128508.tif 000017
【図１１Ａ】
2014128508.tif 000018
【図１１Ｂ】
2014128508.tif 000019
【図１２Ａ】
2014128508.tif 000020
【図１２Ｂ】
2014128508.tif 000021
【図１３】
2014128508.tif 000022
【図１４】
2014128508.tif 000023
【図１５】
2014128508.tif 000024
【図１６】
2014128508.tif 000025
【図１７】
2014128508.tif 000026
【図１８】
2014128508.tif 000027